(57)【要約】【課題】ラベル台紙に粘着された種々のラベルを簡単且つ確実に剥離可能なラベル剥離方法および装置を提供する。【解決手段】長手方向に沿って複数のラベル１２が粘着されたラベル台紙１１を、ラベル台紙ガイド兼方向転換治具２０の基部２１の上面のラベル台紙ガイド部２３ａ−２３ｂおよび角度付けされた剥離部２２を介して、下面のラベル台紙駆動機構１３〜１６へ折り曲げられて異なる方向へ引っ張ることにより、剥離部２２でラベル１２をコーナー部から剥離する。剥離されたラベル１２の有無をセンサ３０で検出すると、ラベル台紙駆動機構１３〜１６のモータ１３を停止する。【選択図】図１
2005231754.tif 000002
【特許請求の範囲】
【請求項１】
長尺のラベル台紙に該ラベル台紙の長手方向に沿って粘着された少なくとも１個のラベルを、前記ラベル台紙から剥離するラベル剥離方法において、
前記長尺のラベル台紙の前記ラベルが粘着された面を外側にして該ラベル台紙の長手方向と予め決められた角度で折り曲げて異なる方向へ前記ラベル台紙を進行させ、前記ラベル台紙に粘着された前記ラベルをコーナー部から剥離させることを特徴とするラベル剥離方法。
【請求項２】
前記ラベル台紙の前記折り曲げ角度を略４５°として前記ラベル台紙の進行方向を相互に略直交方向とすることを特徴とする請求項1に記載のラベル剥離方法。
【請求項３】
前記ラベル台紙は、略同一面内で折り曲げて進行させることを特徴とする請求項1又は２に記載のラベル剥離方法。
【請求項４】
前記ラベル台紙から実質的に剥離された前記ラベルを検出するとき、前記ラベル台紙の進行を停止させることを特徴とする請求項１、２又は３に記載のラベル剥離方法。
【請求項５】
長尺のラベル台紙の一面に前記ラベル台紙の長手方向に沿って粘着された少なくとも１個のラベルを剥離するラベル剥離装置において、
前記ラベル台紙を第１方向へ案内するラベル台紙ガイド部および該ラベル台紙ガイド部を挿通したラベル台紙の進行方向を変更する角度付けされた剥離部を有する治具と、前記ラベル台紙に張力を加えるラベル台紙駆動機構とを備えることを特徴とするラベル剥離装置。
【請求項６】
前記ラベル台紙駆動機構は、前記治具の前記ラベル台紙ガイド部と反対側に配置されることを特徴とする請求項５に記載のラベル剥離装置。
【請求項７】
前記治具の前記剥離部の近傍にセンサを設け、該センサが実質的に剥離されたラベルを検出すると前記ラベル台紙駆動機構の駆動を停止させることを特徴とする請求項５又は６に記載のラベル剥離装置。
【請求項８】
前記治具の前記剥離部は、前記ラベル台紙の長手方向に対して約４５°の角度に設定されることを特徴とする請求項５、６又は７に記載のラベル剥離装置。
【発明の詳細な説明】
【技術分野】
【０００１】
本発明はラベル剥離方法および装置に関し、特にテープ状のラベル台紙に剥離可能に粘着又は接着されたラベルをラベル台紙から剥離するラベル剥離方法および装置に関する。
【背景技術】
【０００２】
最近では多くの商品に、それらの商品の名称、型名、原材料、製造元、販売元その他各種の情報を提供するためラベルが貼付されている。ラベルは、単にデパート、スーパーマーケットおよびコンビニエンスストア等の販売店のみでなく、家庭においても広範囲に使用され、それが貼付された商品に関する上述した如き各種の情報を提供する。また、ラベルは、商品に容易に剥離可能に貼付されるので、必要に応じて商品に貼付されているラベルを剥離して、別のラベルに交換することも可能である。
【０００３】
更に、ラベルの優れた機能に着目して、従来の商品のみならず、業務又は家庭で使用される切手等の日用品、手紙等の宛先や発信人の住所氏名、ＡＩＲＭＡＩＬ、速達等のメールの種別表示にもラベル状のものが広く普及している。また、市販されているラベル機を使用してユーザ独自のラベルを作成することも可能である。
【０００４】
業務用のラベル製造機は、同一種類又は複数種類のラベルをテープ状のラベル台紙に剥離可能に粘着し、リール等に巻回して保存するのが一般的である。このようにテープ等に被着されたラベルを商品等に貼付して使用するには、ラベルをテープ状の台紙から剥離する必要がある。台紙に被着された多数のラベルを剥離するには、作業者の手作業では非効率であるので、ラベル剥離機又はラベル剥離装置を使用するのが一般的である。
【０００５】
従来、幾つかのラベル剥離機又はラベル剥離装置が提案されている。被剥離ラベルを角度をつけて固定し、屈曲部で数回しごくことによりラベルの角部を剥離し易くする剥離紙付きラベルの印字用紙と剥離紙とを容易に剥離可能にする剥離装置が開示されている（例えば、特許文献１参照。）。また、粘着された２層構造のラベル素材から帯状かすの剥離に際し、帯状体の進行を支持する互いに平行なガイドローラ群に対して平行でない角度で帯状かすを剥離部材より斜めに剥離するかす剥離装置が開示されている（例えば、特許文献２参照。）。
【特許文献１】特開２０００-２５０４１３号公報（第４-５頁、第２図）
【特許文献２】特開２００１-３３５２３５号公報（第３頁、第７図）
【０００６】
図４は、一般的な従来のラベル剥離装置の概略断面図である。この従来のラベル剥離装置４０は、回転軸（図示せず）にリール４１を装着する。このリール４１には、平滑な表面を有するプラスチックのテープ（ラベル台紙）４２の表面に複数のラベル４３が相互に離間して被着又は粘着されている。このテープ４２は、比較的小径のローラ４４を介して、その走行方向を変えて１対の駆動ローラ４５により引っ張られる。
【発明の開示】
【発明が解決しようとする課題】
【０００７】
上述した従来のラベル剥離装置４０は、ラベル台紙４２を比較的小径のローラ４４で鋭角的に屈曲させラベル４３自体のコシ（真っ直ぐでの形状を維持しようとする力）とラベル台紙４２との粘着力の差を利用して剥離するものである。即ち、従来のラベル剥離装置４０は、ラベル台紙４２を（方向転換はあるが）その長手方向に真っ直ぐに引っ張る構成である。この場合には、ラベル４３をラベル台紙４２から剥離する際に、ラベル４３の幅分の粘着を一度に引き剥がすことになる。ラベル４３の厚みが薄くラベル４３自体のコシが弱いと、ラベル台紙４２との粘着力が勝り、ラベル４３を確実に剥離できないという課題があった。また、ラベル４３の形状がロ字状（即ち、枠状）の如き特殊形状の場合にも、同様にラベルのコシよりも粘着が強く、ラベルの剥離が行えないという課題があった。
【０００８】
本発明は、従来技術の上述の如き課題に鑑みなされたものであり、種々の形状および性質のラベルを、ラベル台紙から効率的且つ確実に剥離可能であると共に比較的小型化が可能なラベル剥離方法および装置を提供することを目的とする。
【課題を解決するための手段】
【０００９】
前述の記述を解決するため、本発明によるラベル剥離方法および装置は次のような特徴的な構成を採用している。
【００１０】
（１）前述の記述を解決するため、本発明によるラベル剥離方法および装置は次のような特徴的な構成を採用している。
長尺のラベル台紙に該ラベル台紙の長手方向に沿って粘着された少なくとも１個のラベルを、前記ラベル台紙から剥離するラベル剥離方法において、
前記長尺のラベル台紙の前記ラベルが粘着された面を外側にして該ラベル台紙の長手方向と予め決められた角度で折り曲げて異なる方向へ前記ラベル台紙を進行させ、前記ラベル台紙に粘着された前記ラベルをコーナー部から剥離させるラベル剥離方法。
【００１１】
（２）前記ラベル台紙の前記折り曲げ角度を略４５°として前記ラベル台紙の進行方向を相互に略直交方向とする上記（１）に記載のラベル剥離方法。
【００１２】
（３）前記ラベル台紙は、略同一面内で折り曲げて進行させる上記（１）又は（２）に記載のラベル剥離方法。
【００１３】
（４）前記ラベル台紙から実質的に剥離された前記ラベルを検出するとき、前記ラベル台紙の進行を停止させる上記（１）、（２）又は（３）に記載のラベル剥離方法。
【００１４】
（５）長尺のラベル台紙の一面に前記ラベル台紙の長手方向に沿って粘着された少なくとも１個のラベルを剥離するラベル剥離装置において、
前記ラベル台紙を第１方向へ案内するラベル台紙ガイド部および該ラベル台紙ガイド部を挿通したラベル台紙の進行方向を変更する角度付けされた剥離部を有する治具と、前記ラベル台紙に張力を加えるラベル台紙駆動機構とを備えるラベル剥離装置。
【００１５】
（６）前記ラベル台紙駆動機構は、前記治具の前記ラベル台紙ガイド部と反対側に配置される上記（５）に記載のラベル剥離装置。
【００１６】
（７）前記治具の前記剥離部の近傍にセンサを設け、該センサが実質的に剥離されたラベルを検出すると前記ラベル台紙駆動機構の駆動を停止させる上記（５）又は（６）に記載のラベル剥離装置。
【００１７】
（８）前記治具の前記剥離部は、前記ラベル台紙の長手方向に対して約４５°の角度に設定される上記（５）、（６）又は（７）に記載のラベル剥離装置。
【発明の効果】
【００１８】
本発明のラベル剥離方法および装置によると、次の如き実用上の顕著な効果が得られる。即ち、ラベル台紙を角度付けされた剥離部において略同一面内で一方向から他方向へ折り曲げ方向転換して進行させて、ラベルのコーナー部から剥離するので、種々の強度および形状のラベルを効率的且つ迅速に剥離可能である。また、略平板状の治具を使用するので、ラベル剥離装置の小型（薄型）化が可能である。更に、センサを設け、ラベルが実質的に剥離される毎にラベル台紙駆動機構を停止してユーザが剥離されたラベルを取り上げ可能にする。
【実施例１】
【００１９】
以下、本発明によるラベル剥離方法および装置の好適実施例の構成および動作を、添付図面を参照して詳細に説明する。
【００２０】
先ず、図２（Ａ）は、本発明によるラベル剥離装置の好適実施例の主要部を説明する平面図である。このラベル剥離装置１０は、上述した従来例と同様に、長尺の又はテープ状のラベル台紙１１に連続的に粘着された、例えば略矩形状の複数のラベル１２を使用するために、ラベル台紙１１から剥離する装置である。
【００２１】
本発明のラベル剥離装置１０は、ラベル台紙ガイド兼方向転換治具（以下、単に治具という場合もある）２０を使用する。この治具２０は、例えば適当なプラスチック又は金属により形成され、図１に示す如く平面形状が略台形状の基部（又はベース）２１、剥離部２２およびラベル台紙ガイド部２３ａ−２３ｂを有する。
【００２２】
複数のラベル１２が粘着されたラベル台紙１１は、その両側縁を治具２０の基部２１の上面に形成されたラベル台紙ガイド部２３ａ−２３ｂ間に図１中の上から下方向へ挿通して、角度付けされた剥離部２２で折り曲げられ、治具２０の基部２１の下側へ延びる。更に、ラベル台紙１１は、モータ１３、ギア（歯車）１４、駆動軸１５およびこれと接触して回転する補助軸（被駆動軸）１６により引っ張られ、矢印Ａで示す方向へ、予め設定された速度で移動又は走行するよう構成されている。また、治具２０には、剥離部２２の近傍に、例えば光学式のセンサ３０が設けられ、剥離されたラベル１２の有無を検出し、必要に応じてラベル台紙駆動機構１３〜１６のモータ１３を停止可能にする。
【００２３】
図１に示す如く、治具２０の剥離部２２は、ラベル台紙１１の側縁又はラベル台紙１１の長手方向に対して予め設定された角度θをなすことに注目されたい。この角度θは、例えば約４５°±１０°に設定され、好ましくは４５°に設定される。角度が４５°の場合には、ラベル台紙１１は、図１に示す如く、ラベル台紙ガイド部２３ａ−２３ｂ間を上から下（即ち、垂直方向）へ進行（又は移動）し、剥離部２２で方向転換されて右から左（即ち、水平方向）へ進行するようにモータ１３を含むラベル台紙駆動装置により駆動される。
【００２４】
次に、図１に示すラベル剥離装置１０を使用して、ラベル台紙１１からラベル１２を剥離するラベル剥離動作について説明する。ラベル台紙１１は、ラベル台紙ガイド部２３ａ−２３ｂにより支えられており、治具２０の剥離部２２に差し掛かると進行方向が約９０°の角度で折り返される。このとき、ラベル１２は、進行方向に直進してラベル台紙１１より引き剥がされる。センサ３０は、ラベル１２の有無を感知して、ラベル１２ありと判断した場合にはモータ１３へ回転中止の指令を出し、例えば作業者（又はロボット）がこの剥離されたラベル１２を掴んで予め決められた場所へ移動又は商品等への貼付を可能にする。
【００２５】
次に、図２および図３を参照して、図１に示す本発明によるラベル剥離と図４に示す従来のラベル剥離の主要相違点を説明する。図２は一般的な矩形状のラベルの場合であり、図３は矩形枠状のラベルの剥離動作を示す。
【００２６】
図２（Ａ）は本発明によるラベル剥離動作を示し、（Ｂ）は従来のラベル剥離動作を示す。ラベル台紙１１又は４２に粘着された矩形状のラベル１２又は４３を剥離する際に、図２（Ｂ）に示す従来の剥離技法では、ラベル４３の幅全体を一度にラベル台紙４２から引き剥がす必要がある。この場合には、剥離長さkは、ラベル４３の幅又は長さと同一になる。これに対して、図２（Ａ）に示す本発明によるラベル剥離技法構造では、ラベル１２の剥離を開始するのは、矩形状のラベル１２のコーナー部分からとなり、一度に引き剥がす長さ、剥離長さkを極めて小さくすることが可能である。この剥離長さkは、ラベル１２とラベル台紙１１との粘着力に比例関係にあり、また剥離が可能となるのはラベル自体のコシが粘着力を上回った場合であることより、本発明の剥離技法を用いることによりラベル１２の剥離が容易になることが理解できよう。
【００２７】
また、図３のようなロ字形（矩形枠状）の如き異形ラベルの場合には、ラベル１２、４３のコシが非常に弱い。従って、図３（Ｂ）に示す如き従来の剥離技法では剥離不可能又は困難であった。しかし、図３（Ａ）に示す本発明の剥離技法によると、このような異形ラベル１２であっても、コシの強いコーナー部から剥離されるので、通常のラベルと実質的に同様に剥離可能であることが理解できよう。
【００２８】
以上、本発明によるラベル剥離方法および装置の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。また、ラベルの形状は、上述した矩形状又は矩形枠状に限定されるものではない。
【図面の簡単な説明】
【００２９】
【図１】本発明によるラベル剥離装置の好適実施例の主要部を示す平面図である。
【図２】矩形状ラベルの剥離技法の説明図であり、（Ａ）は本発明の剥離技法、（Ｂ）は従来の剥離技法を示す。
【図３】矩形枠状ラベルの剥離技法の説明図であり、（Ａ）は本発明の剥離技法、（Ｂ）は従来の剥離技法を示す。
【図４】一般的な従来のラベル剥離装置の断面図である。
【符号の説明】
【００３０】
１０  ラベル剥離装置
１１  ラベル台紙（ラベル粘着テープ）
１２  ラベル
１３〜１６  ラベル台紙駆動機構
２０  ラベル台紙ガイド兼方向転換治具
２１  基部
２２  剥離部
２３  ラベル台紙ガイド部
３０  センサ
４０  ラベル剥離装置
４１  リール
４２  テープ（ラベル台紙）
４３  ラベル
４５  駆動ローラ
【図１】
2005231754.tif 000003
【図２】
2005231754.tif 000004
【図３】
2005231754.tif 000005
【図４】
2005231754.tif 000006